(57)【要約】      （修正有）【課題】石油コンビナートや火力発電所、空港にある大容量の石油タンクや固形燃料（ＲＰＦ）タンクが火災に合い難くした燃料保管設備の防災を提供する。【解決手段】石油タンク他、大容量の燃料保管装置を不燃繊維その他の覆いで覆い、その中に不燃ガスを充満させることにより内部からの出火や外部からの延焼を防ぐ。覆いで覆えない場合は燃料付近に不燃ガスを常に注入して空気との接触をはばむ。【選択図】図１
2005132474.tif 000002
【特許請求の範囲】
【請求項１】
大量の燃料を貯蔵する目的の設備において、燃料貯蔵設備の全体または一部を覆う不燃布でできた覆いと、不燃ガス供給装置を持ち、前記不燃布の覆いの内側を前記不燃ガス供給装置で造られた不燃ガスで充満させる方法で貯蔵燃料が空気（酸素）と触れることを極力押え、設備に何らかの異常が起きた場合でも、火災になり難くした燃料貯蔵設備。
【請求項２】
大量燃料を貯蔵する目的の設備において、燃料貯蔵設備の全体または一部を覆うトタンやアルミまたは難燃プラスチック等でできた覆いで防災覆いと、不燃ガス供給装置を持ち、前記覆いの内部に前記不燃ガス供給装置で造られた不燃ガスで充満させることにより、貯蔵燃料と空気（酸素）直接触れることを極力押さえることにより火災になり難くした燃料貯蔵設備。
【請求項３】
大量の燃料を貯蔵する目的の燃料タンクに常時不燃ガスを注入し、タンク内の空き部分を常に不燃ガスで満たし、貯蔵燃料の周りの酸素濃度を低くした燃料貯蔵タンク。
【発明の詳細な説明】
【技術分野】
【０００１】本発明は石油コンビナートや火力発電所、空港にある大容量の石油タンクや固形燃料（ＲＰＦ（Ｒｅｃｙｃｌｉｎｇ  ＰＥＴ  ｆｌｏｗｅｒ）、石炭）タンクが火災に合い難くするためのものである。
【背景の技術】
【０００２】現在の貯蔵設備も火災に合わない工夫はしてあるが、それでも現実に地震や予想外の原因で火災が発生している。燃料貯蔵設備の場合は一度火災に合うと消火が困難なため大きな災害になることが多い。
【０００３】石油タンクは上ブタで蓋の上に石油がもれないように工夫をしている。しかし、地震で上ブタが異常な動きをすることもあり、そうすると蓋の上に石油がもれ引火することもある。
【０００４】また、近くの火災でタンクが暖められ石油の一部が気化することもある。
このような場合は引火して大災害になる。
【０００５】固形燃料の場合でも近くの火災で火の粉が飛んできて引火する場合も考えられるし、ＲＰＦ（可燃廃棄物を燃料の目的で固め乾燥したもの）の場合は、細菌や物質の酸化により温度が上がり自然発火することもあると考えられている。
【発明の開示】
【発明が解決しようとする課題】
【０００６】本発明は、燃料に酸素を近づけることを極力防ぎ引火し難くする方法である。
すなわちタンクの一部または全部を燃えないもので覆い、内部に不燃ガスを注入する事により、燃料の周りを不燃ガスで囲み引火し難くする。【０００７】
【図１】
の燃料貯蔵設備では、１００１の燃料貯蔵設備（石油タンク）全体を１００４の不燃布でできた覆いで覆い、内部に１００６の不燃ガス供給装置で不燃ガスを作り、１００３の貯蔵されている燃料だけではなく、入れ物である１００１の燃料貯蔵設備をも空気（酸素）を遠ざけて火災になり難くしている。
【０００８】
【図２】
の燃料貯蔵設備では、１１０１の燃料貯蔵設備（石油タンク）の上部だけを１１０４の不燃布でできた覆いで覆ったもので内部には１１０７で作られた不燃ガスを充満してある。これにより、タンクの上フタ（１１０２）の隙間からもれた石油から酸素を遠ざけ火災になり難くしている。なお、１１０４の不燃布でできた覆いが不燃布でなく難燃性の布などでも効果はあるが、外部から火の粉が飛んできた場合を考えると不燃布の方が望ましい。
【０００９】
【図３】
の燃料貯蔵設備は、２００１の固形燃料貯蔵タンク（貯蔵設備）で２００５の不燃ガス吹き出し口から不燃ガスを注入してタンクの空き部分や２００４の貯蔵された固形燃料の隙間（固形燃料の場合）に不燃ガスを充満させるようにした燃料貯蔵設備である。このように、貯蔵された燃料の周りを不燃ガスで充満させることに燃料を燃え難く貯蔵し、火災が発生し難くしている。
【発明の効果】
【００１０】本発明は、貯蔵された燃料と空気（空気中の酸素）が直接接触することを避け、燃料に発火し難くくすると共に、万一、火が点いても自然消火するようにするようにしたものである。
【発明を実施するための最良の形態】
【００１１】
【００１２】
【図１】
の燃料貯蔵設備（請求項１）に付いて説明すると、１００１は石油タンク（燃料貯蔵設備）であり、１００２の石油の上を覆う上ブタを備えている。
１００３はその中に貯蔵されている燃料（石油）である。
【００１３】そこに不燃布でできた１００４の不燃布の覆いで覆って、１００６の不燃ガス供給装置で不燃ガス（酸素を含まない不燃ガス）を１００９の不燃ガス供給パイプを通して供給し、１００４の不燃布でできた覆いの内部１００５は充満された不燃ガスで一杯である。この充満された不燃ガスは、外気より常に高い圧力で保たれ、外部から酸素を含んだ空気が入らないようにしている。
【００１４】また、１００７はガス抜き口で１００８の圧力調整装置につながっている。そして不燃ガスの圧力が高くなりすぎた場合、不燃布の覆いが破損することを防いでいる。特に最初の空気入れ替える時や、燃料投入時に圧力調整装置から空気を抜く。
【００１５】なお，不燃ガス漏れが大きい場合は、１００６の不燃ガス供給装置で内部圧力の調整を行い、１００７のガス抜き口や１００８圧力調整装置、１０１１のガス放出口を省略することができる。
【００１６】こうすることにより、火の粉のような外部の火元から延焼しないようにすると共に、万一内部で摩擦等により失火しても燃料の周りに酸素がないので燃焼を続けることが出来なく自然消火する。
【００１７】１０１１の放出口は燃料貯蔵設備から離れたところに充満ガス貯蔵設備内の不燃ガスを排出する。これは，不燃ガスの中に気化した燃料が万一混入していて排ガスに引火した場合にも、引火した燃焼による熱で燃料貯蔵設備が暖めることがないようにするためである。
【００１８】なお、１００８の内部圧力調整装置に燃料回収機構（タンクから気化した燃料部分を回収する装置）が付いている場合は離れたところに捨てる必要はない。
【００１９】
【図２】
は燃料貯蔵設備の一部を不燃布で覆った場合である。１１０１は燃料貯蔵設備（石油タンク）の外壁で１１０２はタンクの上ブタである。すなわち、タンク全体を覆う
【図１】
に比べ、
【図２】
は上の開放部分だけを不燃布でできた覆いで覆ったものである。機能は
【図１】
と同じだが、近くで火災が起きた時にタンクが直接輻射熱の影響を受け高温になり易い欠点がある。
【００２０】
【図３】
は
【図２】
の不燃布でできた覆いをトタンまたはアルミまたは難燃性プラスチック等で作ったものである。機能は
【図２】
と同じである。
【００２１】また
【図４】
は固形燃料貯蔵庫である。２００１は固形燃料貯蔵設備の外壁で２００２の燃料取り出し口と２００３の燃料投入口がある。２００４は内部に貯蔵された燃料である。
【００２２】これに２００５の不燃ガス吹き出し口を複数個設け、２００６の不燃ガス供給パイプで２００７不燃ガス供給装置から不燃ガスを供給する。この場合は上が開いているので空気より重い不燃ガスを使用する。不燃ガス吹き出し口は、不燃ガスが燃料の表面を覆うように設置されていて、空気中の酸素と燃料の接触がないようにしてある。また、固形燃料の投入時に、不燃ガスで満たしておくことにより、固形燃料の隙間に空気（酸素）が入り難く固形燃料が酸化したり醗酵したりし難くなる効果がある。また、万一内部の温度が上がっても酸素濃度が低いので発火し難い。
【００２３】
【図５】
は固形燃料を気流（空気の流れ）で投入する装置に適用した時の概念図である。２１０１は固形燃料貯蔵タンク（外壁）であり、燃料投入は２１０５の固形燃料投入パイプを流れる不燃ガスの気流により投入する。不燃ガスの気流を利用するため、固形燃料貯蔵タンク内には不燃ガスで充満している。
【００２４】固形燃料を運んだ不燃ガスは２１０６不燃ガス回収パイプにより回収され２１０８の気流発生装置に返され再度気流として使用される。
なお、不燃ガスとしては燃焼炉の排ガスから不純物や水蒸気および残留酸素を取り除いて（残留酸素が多い場合は）利用することができる。
【００２５】２１１０は不燃ガス発生装置で２１０８の気流発生装置に不燃ガスを供給している。２１０８の気流発生装置は２１１０の不燃ガス発生装置で作られ不燃ガスと２１０６の不燃ガス回収パイプから回収した不燃ガスを用いて高速の気流を２１０５の固形燃料投入パイプに供給し、２１０９の固形燃料投入装置に投入された２１１１の投入する固形燃料を少しずつ気流に乗せて２１０１の固形燃料貯蔵タンクに投入する。
２１１２は気流に乗って流れる固形燃料である。
【００２６】２１０２１固形燃料の取り出し口で蓄積された固形燃料を少しずつ取り出し、２１１４の気流発生装置からの気流に乗せて２１１５の燃料取り出しパイプを通して次の工程（たとえば燃焼炉）に行く。
【図面の簡単な説明】
【図１】燃料貯蔵設備（全体を不燃布で覆ったもの）
【図２】燃料貯蔵設備（一部を不燃布で覆ったもの）
【図３】燃料貯蔵設備（防災覆い付き）
【図４】固形燃料貯蔵タンク（開放型）
【図５】固形燃料貯蔵タンク（密閉型）
【符号の説明】
１００１  石油タンク外壁（燃料貯蔵設備）
１００２  石油の上を覆う上ブタ
１００３  貯蔵されている燃料（石油）
１００４  不燃布でできた覆い
１００５  充満された不燃ガス
１００６  不燃ガス供給装置
１００７  ガス抜き口
１００８  圧力調整装置（ガス漏れが多い場合は省略可能）
１００９  不燃ガス供給パイプ
１０１０  不燃布の覆いを取りつける台座
１０１１  ガス放出口
１１０１  石油タンク（の外壁）
１１０２  タンクの上ブタ
１１０３  貯蔵された燃料
１１０４  不燃布でできた覆い
１１０５  内部に充満した不燃ガス
１１０６  不燃ガスを供給するパイプ
１１０７  不燃ガス供給装置
１１０８  ガス抜き口
１１０９  圧力調整装置
１２０１  石油タンクの外壁
１２０２  タンクの上ブタ
１２０３  貯蔵された燃料
１２０４  金属や難燃プラスチックでできた覆い
１２０５  内部に充満した不燃ガス
１２０６  不燃ガスを供給するパイプ
１２０７  不燃ガス供給装置
１２０８  圧力調整装置
２００１  固形燃料貯蔵タンクの外壁（燃料貯蔵設備）
２００２  燃料取り出し口
２００３  燃料投入口
２００４  貯蔵された固形燃料
２００５  不燃ガス吹き出し口
２００６  不燃ガス供給パイプ
２００７  不燃ガス供給装置
２１０１  固形燃料貯蔵タンク（外壁）
２１０２  固形燃料取り出し口
２１０３  固形燃料投入口
２１０４  不燃ガス回収口
２１０５  固形燃料投入パイプ
２１０６  不燃ガス回収パイプ
２１０７  不燃ガス供給パイプ
２１０８  気流発生装置
２１０９  固形燃料投入装置
２１１０  不燃ガス発生装置
２１１１  投入する固形燃料
２１１２  気流に乗って流れる固形燃料
２１１３  蓄積された固形燃料
２１１４  気流発生装置（送風機）
２１１５  燃料取り出しパイプ（次の工程につながっている）
【図１】
2005132474.tif 000003
【図２】
2005132474.tif 000004
【図３】
2005132474.tif 000005
【図４】
2005132474.tif 000006
【図５】
2005132474.tif 000007